(57)【要約】【課題】目的の処理を完了する前に誤操作により終了処理実行キーを押下した場合や、電話着信などの割り込み処理が発生した場合、それまで実行したキー操作が破棄され、以前にしていた操作を続けることができない問題を解決する。【解決手段】本発明では、このような呼び出し不可能と思われるデータを呼び出し可能にしたことを特徴とする。予め、待ち受け画面から何らかのキー入力処理がなされたときに、操作環境記憶部を起動させ、それらのキー入力を全て記憶させる。そして、万が一、それらのキー入力が何らかの処理により、中断されたときには、戻り処理を実行して、それらの記憶から、中断直前の操作環境を再現可能にする。また、この操作環境記憶部では、キー入力によって作成されたテキストデータ、または、画像データも操作環境を一時記憶させる目的で保存が可能であることを特徴とする。これにより、再生不可能と思われる中断処理も、ユーザからの指示なしに実行させる記憶システムにより、中断された処理を再現可能である。【選択図】      図１
2005026751.tif 000002
【特許請求の範囲】
【請求項１】
待ち受け状態において、キ−入力が実行されると、操作環境記憶部を起動させる手段と、その入力キ−の種類及び操作回数を記憶するキ−入力記憶手段と、キ−入力を実行中に、その入力結果を登録せずに中断された場合には、前記記憶手段の記憶内容に基づき、中断前の操作環境を再現する再現手段とを含む移動通信端末
【請求項２】
前記再現手段は、特定の入力キーの実行回数により、中断前の操作環境を、最新の環境から一つずつ前の段階に遡って、再現することを可能とする請求項１記載の移動通信端末。
【請求項３】
待ち受け状態になる毎に、その間に実行されたキ−入力内容を一つの操作環境とみなし、前記操作環境記憶部に記憶し、前記再現手段により、複数の操作環境の再現が可能である請求項１又は２記載の移動通信端末。
【請求項４】
前記操作環境記憶部におけるキ−入力に関する記憶デ−タは、キ−入力によって作成されるテキストデ−タを含む請求項１乃至３いずれか記載の移動通信端末。
【請求項５】
さらに前記操作環境記憶部は、画像データも保存可能である請求項４記載の移動通信端末。
【発明の詳細な説明】
【０００１】
【発明の属する技術分野】
本発明は、移動通信端末の機能をキ−を用いて操作しているときに、割り込み処理や誤って終了処理をしてしまった場合に、それまでのキ−入力処理を記憶することによって、直前の操作環境を再現することを特徴とする移動通信端末に関する。
【０００２】
【従来の技術】
従来では、ダイヤル入力中に誤入力してしまった場合、取り消し指示手段によって、自動的に回線の切断、再接続を行うことが可能であり、回線の切断のために、受話器の上げ下げの動作を省く方法がある。さらに、誤入力したダイヤル番号を、表示部に表示し、この番号の誤入力番号を訂正しながら、再度電話番号を回線に送出が可能となっていた。
【０００３】
【特許文献１】
特開平０２−１９２３４９号公報
【０００４】
【発明が解決しようとする課題】
しかし、このような誤入力訂正方法は、電話番号の誤入力に対する修正方法に関するものであり、例えば作成中のメ−ル文面を誤って強制終了してしまったときに、作成中のメ−ル文面を呼び出す方法については記載されていない。
【０００５】
特に現在では、移動通信端末によって情報通信や端末にある機能を用いる機会は多彩に渡り、メ−ル作成や、インタ−ネット閲覧などをしているときに、着信が割り込んで来る場合も多い。この割り込み動作が終了したあと、また以前にしていた操作を続けたい場合、割り込み動作が発生した時点での状態に戻したくても、その時点のデ−タは消えている場合がある。
【０００６】
ここで、本発明は上述のような課題を解決すべく、移動通信端末の操作環境の一時保存、それに続く呼び出し操作の手段を提供することを目的とする。
【０００７】
【課題を解決するための手段】
本発明の移動通信端末は、待ち受け状態において、キ−入力が実行されると、操作環境記憶部を起動させる手段と、その入力キ−の種類及び操作回数を記憶するキ−入力記憶手段と、キ−入力を実行中にその入力結果を登録せずに中断された場合には、前記記憶手段の記憶内容に基づき、中断前の操作環境を再現する再現手段とを含む。
【０００８】
まず、移動通信端末の機能を用いて操作を行っている場合、予め操作内容のデ−タを逐次一時保存していく手段を持つ。
【０００９】
ユ−ザが移動通信端末において、移動通信端末の機能を操作している最中に、誤って終了させてしまったときや、着信や、アラ−ムなど強制割り込み動作が発生したときなどの割り込み動作があったときも、その時点までの状態は一時保存される。
【００１０】
そして、終了処理をしたあとや、割り込み処理が終了したときに、ユ−ザが、再び以前の中断された時点までの操作を呼び出したい場合、一時保存したデ−タを、呼び出し処理により、以前に行っていた操作を継続して行うことを可能にする。
【００１１】
【発明の実施の形態】
以下、本発明の実施の形態について、図面を用いて詳細に説明する。
【００１２】
図１は、本発明の実施の形態における移動通信端末１の構成を示すブロック図である。
【００１３】
なお、本発明の実施の形態では、端末１とは、移動通信端末１のことである。
【００１４】
図１は、本発明の一実施の形態における移動通信端末１の電気回路系を示すブロック図である。
【００１５】
図１を参照すると、端末１は、表示部２と、キー操作部３と、アンテナ４と、操作環境記憶部１３を備えるメモリ５と、制御部６と、無線部７と、変復調部８と、ベ−スバンド処理部９と、音声入力部としてのマイク１０と、スピーカ１１と、デジタルカメラ１２とから構成される。
【００１６】
キー操作部３のキ−入力に応じて、端末内の様々な機能が呼び出され、この機能上での操作の指示や入力が行われ、表示部２では様々な表示内容が表示される。
【００１７】
戻り処理キー１４は、キー操作部３内にあり、戻り処理キー１４と、制御部６が再現手段を構成する。
【００１８】
メモリ５内の操作環境記憶部では、端末１の操作過程における操作や処理を順に記憶していくことを特徴とし、ＦＩＦＯ方式であることが好ましい。
【００１９】
制御部６は、上述の一連の送受信処理を含む移動通信端末全体の制御を行っている。メモリ５は、移動通信端末１の動作、制御に必要なシステムプログラム、デ−タを記録している。
【００２０】
無線部７は、アンテナ４からの受信信号をフィルタリング処理し、また送信信号を増幅してアンテナ４へ出力する。
【００２１】
変復調部８は、受信信号をＲＦ処理し、復調して受信ベ−スバンド信号に変換する。また、送信用ベ−スバンド信号を変調して送信信号に変換し無線部７に送信する。
【００２２】
ベ−スバンド処理部９は、受信ベ−スバンド信号を復号化して音声信号を生成し、スピーカ１１に出力して音声を再生する。また、変復調部８からの受信ベ−スバンド信号のうち、音声以外の画像、メ−ル等のデ−タに関しては、制御部６により読み出され、表示部２や後述するメモリ５に出力される。さらに、ベ−スバンド処理部９は、マイク１０から入力された音声を符号化し、送信用ベ−スバンド信号を生成する。音声以外の送信デ−タは制御部６から供給されて必要な処理を施し、ベ−スバンド処理部９を経由して変復調部８に出力される。
【００２３】
デジタルカメラ１２は制御部６によって制御され、そのデ−タはメモリ５に記録される。
【００２４】
操作環境一時記憶システムによる一時記憶処理の流れについて、図３、図４に示す。
【００２５】
まず、図２のフロ−チャ−トを参照して本実施例の全体の動作について詳細に説明する。
【００２６】
待ち受け画面（図２のＳ１）からキー操作部３における任意のキ−を押下する（図２のＳ２）。この待ち受け画面から何らかのキ−入力が行われた場合、制御部６により直ちに操作環境記憶部１３を起動させ、入力キ−の種類、入力回数の記憶を開始する（図２のＳ３）。
【００２７】
すなわち、ここでは操作環境記憶部１３は、キー操作部３のうち、終了処理を行うキ−以外の押下キ−を、入力キ−の種類、操作回数を、キー入力した順番どおりに記憶していくことを特徴とする。
【００２８】
次に、制御部６は継続して入力を実行するキ−が押下されたか、または終了処理を示す終了キ−入力が行われたか、着信等の割り込み処理が発生したかどうかを判定する（図２のＳ４）。もし、終了処理を実行するキ−の押下か、割り込み処理が発生した場合には、順次記憶を実行している操作環境記憶部１３における処理を終了し（図２のＳ５）、前記にある処理を実行したあと、待ち受け画面に戻る（図２のＳ６）。
【００２９】
もし、終了処理実行キ−の押下、または割り込み処理の発生がなければ、継続して次のキ−入力を実行し（図２のＳ２）、前回と同様に入力キ−の種類と操作回数を記憶する（図２のＳ３）。この図２のＳ２〜Ｓ４の手順を繰り返し、処理を実行する。
【００３０】
ここで、割り込み処理が発生した場合（図２のＳ４）には、制御部６は、その処理が終了したときに、ユ−ザに対して選択を促す（図２のＳ７）。このとき、表示部２に継続中の処理を呼び出しするかの確認表示を行うことが好ましいが、表示を行わなくとも、戻り処理キー１４の入力で（図２のＳ８）、操作環境記憶部１３より、継続中の処理を中断直前の状態まで呼び出すことも可能である。
【００３１】
すなわち、割り込み処理直前のキー入力内容に基づき、直前の入力内容を再現させて、直前の状態に処理を戻す（図２のＳ９）。
【００３２】
次に具体例として、電話帳に電話番号及びメ−ルアドレスを登録する場合を用いて説明する。図３、図４は、電話帳に電話番号およびメ−ルアドレスの登録処理を実行する手順を示す。
【００３３】
まず待ち受け画面（４１１）からキ−操作部３の操作により任意の電話番号（１２３４５６７８９）を入力する（４１２）。この待ち受け画面からのキ−入力の動作により、制御部６は操作環境記憶部１３を起動させ、この電話番号の番号通りに入力キ−の内容の記憶を開始する。
【００３４】
以下に押下された入力キ−も、操作環境記憶部１３に順次記憶されていく。
【００３５】
入力した番号を電話帳に登録するため、電話帳登録処理を実行するキ−を選択し（４１３）、新規で電話帳登録処理を実行するキ−を選択する（４１４）。次に、登録した電話帳に対して、メ−ルアドレス登録処理を実行する（４１５、４１６）。
【００３６】
ここで、メ−ルアドレス入力最中に誤って終了処理を実行するキ−を押下してしまった場合、図４（４１７）の確認メッセ−ジが表示されるが、ここで「Ｎｏ」を選択すれば引き続きメ−ルアドレス登録処理を続ける事が可能である。しかし誤って、「Ｙｅｓ」もしくは終了処理実行キ−を選択してしまった場合、入力された内容が破棄され待ち受け画面に戻ってしまう（４１８）。
【００３７】
しかし、操作環境記憶部１３においては、制御部６の制御の下に待ち受け画面になった場合で、キ−入力デ−タは一つのデ−タとしてまとめられ、記憶する処理がなされる。
【００３８】
そして、キー操作部３の戻り処理キー１４もしくは呼び出しキ−を押下し、これに基づき制御部６は、操作環境記憶部１３に記憶されている、前回の待ち受け状態の時からの入力されたキ−入力内容のデ−タに基づいて、入力過程を再現させていくことで、確認メッセ−ジ（４１７）の直前状態に処理を戻すことが可能である（４１９）。状態が戻った後、電話帳登録を再開し（４２０）、電話帳のデ−タをメモリ５に登録し完了となる（４２１）。
【００３９】
操作環境記憶部１３に記憶される内容は、待ち受け画面に戻る毎に、一つのデ−タとして、まとめて記録され、それに伴って古いデ−タを消去するＦＩＦＯ方式であることが好ましい。
【００４０】
次に、本発明の第２の実施の形態について図面を参照して詳細に説明する。
【００４１】
本実施の形態は先に述べた「操作環境一時記憶システム」に基づいて、制御部６はさらに戻り処理において、中断された時点である最新の状態から、戻り処理キー１４を押下するごとに、一つずつキ−入力の過程を一つずつ遡っていく方法である。
【００４２】
すなわち、処理が中断され待ち受け画面に遷移した後、中断以前の入力操作を継続して行いたい場合、戻り処理（ｕｎｄｏ）キー１４を一度押下することで処理状態を一つ前に戻し、二度押下で処理状態を二つ前に戻し、以降、同様にＮ度押下で、状態をＮ個前に戻す処理を行う。
【００４３】
このように、戻り処理（ｕｎｄｏ）キー１４を用いて処理履歴を呼び出すことで、待ち受け画面から、希望の処理まで状態を戻すことを可能とする。
【００４４】
次に、図５のフロ−チャ−トを用いて本実施例の全体の動作について詳細に説明する。
【００４５】
まず、待ち受け画面（図５のＳ１）から任意のキ−を押下し（図５のＳ２）、そのキ−をメモリ５に保存する（図５のＳ３）。
【００４６】
以下、戻り処理キー１４の押下の過程までは（図５のＳ８）、図２に示されている本実施の形態と同様である。
【００４７】
それ以降において、戻り処理キー１４を押下し処理を戻す場合、待ち受け画面から戻り処理（ｕｎｄｏ）キー１４を一度押下することで制御部６は、処理状態をひとつ前に戻し、希望する過程まで戻ったか確認する（図５のＳ９）。戻っていない場合、再び戻り処理キー１４を押下することで（図５のＳ８）、その時点より一つ前の状態に戻る。
【００４８】
以降、希望の処理状態まで画面が戻るまで、戻り処理（ｕｎｄｏ）キー１４を押下すればよい（図２のＳ１０）。
【００４９】
次に具体例として本実施の形態と同様に、第２の実施の形態において、電話帳に電話番号及びメ−ルアドレスを登録する場合を用いて説明する。
【００５０】
図６、７、８に示すように、電話帳に電話番号およびメ−ルアドレスの登録処理を実行する。
【００５１】
まず待ち受け画面から（図６、４２１）任意の電話番号を入力する（４２２）。入力された番号をメモリ５の電話帳に登録するため、電話帳登録処理を実行するキ−を選択する（４２３）。新規で電話帳登録処理を実行するキ−を選択すると制御部６は電話帳登録処理を行う。（４２４）
次に、制御部６は登録した電話帳に対してメ−ルアドレス登録処理を実行する（４２５、４２６）。
【００５２】
メ−ルアドレス入力最中に誤って終了処理を実行するキ−を押下してしまった場合、処理を中止してよいかどうかの確認メッセ−ジが表示される（図７、４２７）。
【００５３】
ここで「Ｎｏ」を選択すれば引き続きメ−ルアドレス登録処理が可能だが、万が一「Ｙｅｓ」もしくは終了処理実行キ−を選択してしまった場合、待ち受け画面に戻ってしまう（４２８）。
【００５４】
しかし、続けて登録したい場合は、待ち受け画面から戻り処理（ｕｎｄｏ）キー１４を押下していくと、制御部６はメモリ５を読み出しこれまで処理した状態を逆に辿りながら戻す。
【００５５】
登録中であった電話番号及びメ−ルアドレスの他に、名前などのデ−タを登録したいならば、戻り処理（ｕｎｄｏ）キー１４を１回押下して、メ−ルアドレス入力処理画面（４２９）まで戻り、２回押下して電話帳新規登録画面（４３０）、３回押下して、電話帳登録画面（４３１）まで戻る。
【００５６】
ここから、「１．名前」を選択し（４３２）名前登録を行えばよい（４３３）。
【００５７】
登録が完了し電話帳への登録を実行すれば、誤操作前に登録していた、電話番号及び、メ−ルアドレスと今回入力した名前が保存されたことになり（４３４、４３５）、このあと、待ち受け画面に戻り処理が完了する（４３６）。
【００５８】
さらに他の実施の形態として、操作環境記憶部１３において、単に入力キ−の記憶だけではなく、入力した内容をテキストデ−タに変換して記憶することも可能である。
【００５９】
この場合は、例えばメ−ルの文章や着メロデ−タを作成する時には、テキストデ−タとして記憶する場合の記憶量が、入力キ−の種類、操作回数を記憶するよりも少ない記憶量で一時保存が可能である。
【００６０】
また、キー入力内容の記憶と、テキストデータの記憶のみならず、デジタルカメラ１２の画像データも、登録操作をする前に予め、操作環境記憶部１３に保存を図ることで、突然の割り込み操作に対してもデータを消失する可能性がなくなる。
【００６１】
【発明の効果】
以上説明したように、本発明ではキ−操作の過程が保存されることにより、処理過程を保存することにより、希望の処理まで状態を戻すことを可能とし、ユ−ザによる誤操作や、電話着信の割り込み処理による中断などで、破棄された処理を、一度のキ−操作で処理中断直前の状態に戻すことが可能となる。よって、これまでユ−ザが同じ処理を繰り返していた煩わしさから開放され、非常に効率的である。
【図面の簡単な説明】
【図１】本発明の実施の形態の移動通信端末の電気回路系を示すブロック図である。
【図２】本発明の実施の形態のキ−操作環境記憶システムの流れを示すフロ−チャ−トである。
【図３】本発明の実施の形態の操作の流れを示す表示画面のイメ−ジ図である。
【図４】図３の続きを示すイメージ図である。
【図５】本発明の第２の実施の形態のキ−操作環境記憶システムの流れを示すフロ−チャ−トである。
【図６】本発明の第２の実施の形態の操作の流れを示す表示画面のイメ−ジ図である。
【図７】図６の続きを示すイメージ図である。
【図８】図７の続きを示すイメージ図である。
【符号の説明】
１    携帯無線機
２    表示部
３    キ−操作部
４    アンテナ
５    メモリ
６    制御部
７    無線部
８    変復調部
９    ベ−スバンド処理部
１０  マイク
１１  スピ−カ
１２  デジタルカメラ
１３  操作環境記憶部
１４  戻り処理キー
【図１】
2005026751.tif 000003
【図２】
2005026751.tif 000004
【図３】
2005026751.tif 000005
【図４】
2005026751.tif 000006
【図５】
2005026751.tif 000007
【図６】
2005026751.tif 000008
【図７】
2005026751.tif 000009
【図８】
2005026751.tif 000010